(57)【要約】【課題】  換気装置が設置されている室内の空気を適切に換気することができる技術を開示する。【解決手段】  換気システムは、換気装置と、第１の設備装置と、第２の設備装置と、風量管理装置と、を備える。第１の設備装置は、第１の設備装置の動作状態に基づいて、第１の風量情報を特定し、第１の風量情報を含む第１の要求信号を風量管理装置に送信する。第２の設備装置は、第２の設備装置の動作状態に基づいて、第２の風量情報を特定し、第２の風量情報を含む第２の要求信号を風量管理装置に送信する。風量管理装置は、第１の要求信号内の第１の風量情報と第２の要求信号内の第２の風量情報とを利用して、換気装置に指示する風量を示す特定の風量情報を特定し、特定の風量情報を含む指示信号を換気装置に送信する。換気装置は、特定の風量情報に基づいて、換気運転中の運転風量を決定する。【選択図】図１
2019066120.tif 000002
【特許請求の範囲】
【請求項１】
室内の空気を換気する換気運転を実行可能な換気装置と、前記室内の空気質を変化させる第１の設備装置と、前記室内の空気質を変化させる第２の設備装置と、風量管理装置と、を備える換気システムであって、
前記第１の設備装置は、
前記第１の設備装置の動作状態に基づいて、前記換気装置の前記換気運転で必要となる風量を示す第１の風量情報を特定し、
前記第１の風量情報を含む第１の要求信号を前記風量管理装置に送信し、
前記第２の設備装置は、
前記第２の設備装置の動作状態に基づいて、前記換気装置の前記換気運転で必要となる風量を示す第２の風量情報を特定し、
前記第２の風量情報を含む第２の要求信号を前記風量管理装置に送信し、
前記風量管理装置は、
前記第１の設備装置から前記第１の要求信号を受信し、
前記第２の設備装置から前記第２の要求信号を受信し、
前記第１の要求信号内の前記第１の風量情報と前記第２の要求信号内の前記第２の風量情報とを利用して、前記換気装置に指示する風量を示す特定の風量情報を特定し、
前記特定の風量情報を含む指示信号を前記換気装置に送信し、
前記換気装置は、
前記風量管理装置から、前記指示信号を受信し、
前記指示信号内の前記特定の風量情報に基づいて、前記換気運転中の運転風量を決定する、
換気システム。
【請求項２】
前記風量管理装置は、
前記第１の風量情報が示す風量と前記第２の風量情報が示す風量を比較し、
前記第１の風量情報が示す風量が前記第２の風量情報が示す風量よりも大きい場合に、前記第１の風量情報に基づいて、前記特定の風量情報を特定し、
前記第１の風量情報が示す風量が前記第２の風量情報が示す風量以下である場合に、前記第２の風量情報に基づいて、前記特定の風量情報を特定する、請求項１に記載の換気システム。
【請求項３】
前記風量管理装置は、
前記第１の風量情報及び前記第２の風量情報に基づいて、第３の風量情報を特定し、
前記第３の風量情報が示す風量が、前記第１の風量情報が示す風量及び前記第２の風量情報が示す風量よりも大きい場合に、前記第３の風量情報に基づいて、前記特定の風量情報を特定する、請求項２に記載の換気システム。
【請求項４】
前記風量管理装置は、外部サーバである、請求項１から３のいずれか一項に記載の換気システム。
【発明の詳細な説明】
【技術分野】
【０００１】
本明細書で開示する技術は、換気システムに関する。
【背景技術】
【０００２】
特許文献１には、室内の空気を換気する換気運転を実行可能な換気装置と、室内の空気質を変化させる設備装置と、を備える換気システムが開示されている。設備装置は、設備装置の動作状態に基づいた駆動信号を換気装置に送信する。換気装置は、設備装置から受信した駆動信号に基づいて、換気運転中の運転風量を決定する。
【先行技術文献】
【特許文献】
【０００３】
【特許文献１】特開２００３−８３５５０号公報
【発明の概要】
【発明が解決しようとする課題】
【０００４】
換気装置が設置されている室内に、室内の空気質を変化させる機器が２台以上存在することがある。特許文献１では、換気装置が設置されている室内に、室内の空気質を変化させる機器が２台以上存在する場合について何ら考慮されていない。このため、例えば、設備装置が動作している間に、設備装置とは異なる機器が動作する場合、換気運転中の運転風量が十分ではない状態になる可能性がある。
【０００５】
本明細書では、換気装置が設置されている室内の空気を適切に換気することができる技術を開示する。
【課題を解決するための手段】
【０００６】
本明細書が開示する換気システムは、室内の空気を換気する換気運転を実行可能な換気装置と、前記室内の空気質を変化させる第１の設備装置と、前記室内の空気質を変化させる第２の設備装置と、風量管理装置と、を備える。前記第１の設備装置は、前記第１の設備装置の動作状態に基づいて、前記換気装置の前記換気運転で必要となる風量を示す第１の風量情報を特定し、前記第１の風量情報を含む第１の要求信号を前記風量管理装置に送信する。前記第２の設備装置は、前記第２の設備装置の動作状態に基づいて、前記換気装置の前記換気運転で必要となる風量を示す第２の風量情報を特定し、前記第２の風量情報を含む第２の要求信号を前記風量管理装置に送信する。前記風量管理装置は、前記第１の設備装置から前記第１の要求信号を受信し、前記第２の設備装置から前記第２の要求信号を受信し、前記第１の要求信号内の前記第１の風量情報と前記第２の要求信号内の前記第２の風量情報とを利用して、前記換気装置に指示する風量を示す特定の風量情報を特定し、前記特定の風量情報を含む指示信号を前記換気装置に送信する。前記換気装置は、前記風量管理装置から、前記指示信号を受信し、前記指示信号内の前記特定の風量情報に基づいて、前記換気運転中の運転風量を決定する。
【０００７】
上記の構成によれば、風量管理装置は、第１の設備装置から第１の要求信号を受信し、第２の設備装置から第２の要求信号を受信する。そして、風量管理装置は、第１の風量情報及び第２の風量情報を利用して、特定の風量情報を特定し、特定の風量情報を含む指示信号を換気装置に送信する。このため、風量管理装置は、第１の設備装置及び第２の設備装置の動作状態に対応する特定の風量情報を特定することができる。従って、指示信号を受信する換気装置は、第１の設備装置及び第２の設備装置の動作状態に対応した運転風量で換気運転を実行することができる。従って、換気装置が設置されている室内に第１の設備装置及び第２の設備装置が設置されていても、換気運転中の運転風量を適切に決定することができる。この結果、換気装置が設置されている室内の空気が適切に換気される。
【０００８】
風量管理装置は、第１の風量情報が示す風量と第２の風量情報が示す風量を比較し、第１の風量情報が示す風量が第２の風量情報が示す風量よりも大きい場合に、第１の風量情報に基づいて、特定の風量情報を特定し、第１の風量情報が示す風量が第２の風量情報が示す風量以下である場合に、第２の風量情報に基づいて、特定の風量情報を特定してもよい。
【０００９】
第１の設備装置と第２の設備装置の両方が動作している場合、運転風量は、第１の風量情報及び第２の風量情報のうち風量が大きい方の風量情報に対応していればよいことが多い。上記の構成によると、風量管理装置は、特定の風量情報として、第１の風量情報及び第２の風量情報のうち風量が大きい方の風量情報に基づいて、特定の風量情報を特定する。従って、換気装置は、換気運転を適切に実行することができる。
【００１０】
風量管理装置は、第１の風量情報及び第２の風量情報に基づいて、第３の風量情報を特定し、第３の風量情報が示す風量が、第１の風量情報が示す風量及び第２の風量情報が示す風量よりも大きい場合に、第３の風量情報に基づいて、特定の風量情報を特定してもよい。
【００１１】
第１の風量情報及び第２の風量情報に基づいて総合的に特定される第３の風量情報が示す風量が、第１の風量情報が示す風量及び第２の風量情報が示す風量よりも、大きくなる場合がある。この場合、特定の風量情報は、第３の風量情報に基づいて特定する必要がある。上記の構成によると、風量管理装置は、第３の風量情報が示す風量が、第１の風量情報が示す風量及び第２の風量情報が示す風量よりも大きい場合に、特定の風量情報として第３の風量情報を特定する。従って、換気装置は、換気運転をより適切に実行することができる。
【００１２】
風量管理装置は、外部サーバであってもよい。
【００１３】
上記の構成によると、風量管理装置の管理者は、風量管理装置のメモリに格納されているプログラムを容易に更新することができる。従って、例えば、第１の設備装置の種類が変更されても、管理者によって風量管理装置のメモリに格納されているプログラムが更新されることで、風量管理装置は、特定の風量情報を適切に特定することができる。
【図面の簡単な説明】
【００１４】
【図１】第１実施例に係る風量管理システムの構成を示す図である。
【図２】第１実施例に係る設備システムの斜視図である。
【図３】第１実施例に係る加熱調理器が実行する処理のフローチャート、及び、第１の風量レベルテーブルの一例を示す図である。
【図４】第１実施例に係る食器洗浄機が実行する処理のフローチャートである。
【図５】第１実施例に係る生ごみ処理装置が実行する処理のフローチャートである。
【図６】第１実施例に係る風量管理サーバが実行する処理のフローチャートである。
【図７】第１実施例に係るレンジフードが実行する処理のフローチャートである。
【図８】第２実施例に係る第２の風量レベルテーブルを示す図である。
【図９】第３実施例に係る第３の風量レベルテーブルを示す図である。
【発明を実施するための形態】
【００１５】
（第１実施例）
（換気システム２の構成）
図１及び図２を参照して、換気システム２について説明する。換気システム２は、設備システム４と、風量管理サーバ２００と、を備える。
【００１６】
（設備システム４の構成）
図１に示すように、設備システム４は、レンジフード１０と、加熱調理器３０と、食器洗浄機７０と、生ごみ処理装置９０と、無線ＬＡＮルータ６と、を備える。レンジフード１０、加熱調理器３０、食器洗浄機７０、生ごみ処理装置９０、及び、無線ＬＡＮルータ６は、同じ家屋の同じ室内に設置されている。レンジフード１０、加熱調理器３０、食器洗浄機７０、及び、生ごみ処理装置９０は、無線ＬＡＮルータ６を介して、インターネット８にアクセス可能である。
【００１７】
（レンジフード１０の構成）
レンジフード１０は、室内の空気を換気する換気運転を実行可能な装置である。図２に示すように、レンジフード１０は、加熱調理器３０の上方に配置されている。レンジフード１０は、ファン１２と、換気操作部１４と、換気制御部２０（図１参照）と、を備える。
【００１８】
ファン１２は、モータ（図示省略）の駆動によって回転し、室内の空気を外部に送る。ファン１２の回転速度が変わるとレンジフード１０の風量が変わる。
【００１９】
換気操作部１４は、電源スイッチと、モード選択スイッチと、風量調整スイッチと、で構成される。電源スイッチは、レンジフード１０による換気運転のＯＮとＯＦＦを切り換えるためのスイッチである。モード選択スイッチは、換気運転中の風量が換気制御部２０によって自動的に決定される自動換気運転と、換気運転中の運転風量が風量調整スイッチへのユーザの操作に基づいて決定される手動換気運転と、を切り替えるためのスイッチである。風量調整スイッチは、手動換気運転中において、レンジフード１０の風量（「弱」、「中」、「強」）を切り替えるためのスイッチである。
【００２０】
換気制御部２０は、ＣＰＵ、ＲＯＭ、ＲＡＭ等を備える。ＲＯＭには各種の運転プログラムが格納されている。ＲＡＭには、換気制御部２０に入力される各種信号や、ＣＰＵが処理を実行する過程で生成される種々のデータが一時的に記憶される。換気制御部２０は、ＣＰＵがＲＯＭ、ＲＡＭに記憶された情報に基づいて処理を実行することで、モータの動作を制御して、レンジフード１０に換気運転を実行させる。なお、自動換気運転中において、換気制御部２０は、後述する風量管理サーバ２００から送信される指示風量に基づいて、運転風量を決定する。
【００２１】
（加熱調理器３０の構成）
図１及び図２を参照して、加熱調理器３０について説明する。図２に示すように、加熱調理器３０は、システムキッチンに組み込んで使用されるガス燃焼式のビルトインコンロである。加熱調理器３０は、本体３２と、本体３２の上部に配置されており、システムキッチンのカウンタトップに露出する天板３４と、を備えている。天板３４には、調理対象物である鍋やフライパン等の調理容器を支持する３つの五徳３６ａ、３６ｂ、３６ｃと、それぞれの五徳３６ａ、３６ｂ、３６ｃに対応して設けられており、それぞれの五徳３６ａ、３６ｂ、３６ｃに支持された調理対象物を加熱する３つのコンロバーナ３８ａ、３８ｂ、３８ｃと、が設けられている。コンロバーナ３８ａには、ガス供給路（図示省略）が接続されている。ガス供給路には、コンロバーナ３８ａへのガスの供給量を調整するための流量調整弁（図示省略）が設けられている。コンロバーナ３８ａは、コンロバーナ３８ａにガスが供給されている状態でイグナイタ（図示省略）を動作させることで、点火する。コンロバーナ３８ａへのガスの供給量を調整することで、コンロバーナ３８ａの加熱量を調整することができる。そして、コンロバーナ３８ａへのガスの供給が停止されることで、コンロバーナ３８ａは消火される。コンロバーナ３８ｂ、３８ｃは、コンロバーナ３８ａと同様の構造を有する。なお、図１では、コンロバーナ３８ａ、３８ｂ、３８ｃを総称して、「コンロバーナ３８」と表わしている。
【００２２】
本体３２は、本体３２の内部に設けられて食材を収容するグリル庫４０と、本体３２の前面に配置されてグリル庫４０を開閉するグリル扉４２と、グリル扉４２の右側に設けられた電源スイッチ４６と、グリル扉４２の右側に設けられた３つのコンロ操作部４８ａ、４８ｂ、４８ｃと、グリル扉４２の左側に設けられたグリル操作部５０と、を備えている。なお、グリル庫４０の内部には、グリル庫４０内に収容した食材を加熱するグリルバーナ４０ａ（図１参照）が設けられている。なお、図１では、コンロ操作部４８ａ、４８ｂ、４８ｃを総称して、「コンロ操作部４８」と表わしている。
【００２３】
コンロ操作部４８ａ、４８ｂ、４８ｃは、それぞれ、コンロバーナ３８ａ、３８ｂ、３８ｃに対応する。コンロ操作部４８ａは、コンロバーナ３８ａの点火及び消火を行うとともに、コンロバーナ３８ａの加熱量の調整を行うための操作部である。コンロ操作部４８ａは、オルタネイト型のスイッチである。ユーザによってコンロ操作部４８ａを消火位置から点火位置に移動させるための操作（以下では、「点火操作」と呼ぶ）が実行されると、コンロバーナ３８ａが点火され、ユーザによってコンロ操作部４８ａを点火位置から消火位置に移動させるための操作（以下では、「消火操作」と呼ぶ）が実行されると、コンロバーナ３８ａが消火される。点火位置とは、コンロ操作部４８ａの前面が本体３２の前面よりも前方に突出している位置であり、消火位置とは、コンロ操作部４８ａが本体３２内に収容されている位置である。また、ユーザは、コンロ操作部４８ａが点火位置に位置している状態において、コンロ操作部４８ａを時計方向又は反時計方向に操作することで、コンロバーナ３８ａの加熱量を調整することができる。コンロ操作部４８ｂ、４８ｃは、コンロ操作部４８ａと同じ構造を有する。
【００２４】
グリル操作部５０の構造は、コンロ操作部４８ａの構造と同様である。ユーザは、グリル操作部５０を操作することによって、グリルバーナ４０ａの点火及び消火を行うとともに、グリルバーナ４０ａの加熱量の調整を行うことができる。
【００２５】
また、図１に示すように、加熱調理器３０は、加熱制御部６０を備える。加熱制御部６０は、ＣＰＵ、ＲＯＭ、ＲＡＭ等を備える。ＲＯＭには各種の運転プログラムが格納されている。ＲＡＭには、加熱制御部６０に入力される各種信号や、ＣＰＵが処理を実行する過程で生成される種々のデータが一時的に記憶される。加熱制御部６０は、ＣＰＵがＲＯＭ、ＲＡＭに記憶された情報に基づいて処理を実行することで、加熱調理器３０の各部の動作を制御する。
【００２６】
（食器洗浄機７０の構成）
食器洗浄機７０は、機器の内部に収容される食器を洗浄する食器洗浄運転を実行可能な機器である。図２に示すように、食器洗浄機７０は、キッチンカウンタＫの下にビルトインされている。食器洗浄機７０は、パネル７２と、洗浄操作部７４と、洗浄制御部８０（図１参照）と、を備える。
【００２７】
パネル７２は、パネル７２の下端部７２ａを中心に前方向に回動可能である。即ち、ユーザは、パネル７２を開閉することができる。パネル７２が開いている状態において、ユーザは、食器を食器洗浄機７０の内部に収容することができる。
【００２８】
洗浄操作部７４は、電源スイッチと、運転開始スイッチと、運転モード選択スイッチと、で構成される。電源スイッチは、食器洗浄機７０の電源をＯＮとＯＦＦするためのスイッチである。運転開始スイッチは、食器洗浄機７０に食器洗浄運転を開始させるためのスイッチである。運転モード選択スイッチは、食器洗浄運転の運転モードを選択するためのスイッチである。
【００２９】
洗浄制御部８０は、ＣＰＵ、ＲＯＭ、ＲＡＭ等を備える。ＲＯＭには各種の運転プログラムが格納されている。ＲＡＭには、洗浄制御部８０に入力される各種信号や、ＣＰＵが処理を実行する過程で生成される種々のデータが一時的に記憶される。洗浄制御部８０は、ＣＰＵがＲＯＭ、ＲＡＭに記憶された情報に基づいて処理を実行することで、食器洗浄機７０の各部の動作を制御して、食器洗浄機７０に食器洗浄運転、排気運転などを実行させる。
【００３０】
続いて、食器洗浄機７０によって実行される食器洗浄運転、排気運転について説明する。
【００３１】
食器洗浄運転は、洗浄工程と乾燥工程とで構成される。洗浄工程において、洗浄制御部８０は、食器洗浄機７０のヒータ（図示省略）で加熱された水を噴射して食器洗浄機７０内の食器を洗浄する。そして、洗浄制御部８０は、洗浄工程が完了する場合に、乾燥工程を実行する。乾燥工程において、洗浄制御部８０は、ヒータで加熱された空気を食器洗浄機７０のファン（図示省略）で送風して、食器を乾燥させる。食器洗浄運転中において、食器洗浄機７０から、高温の空気、蒸気などが室内に排気される。なお、食器洗浄運転は、食器洗浄運転中に室内に排気される空気の温度（以下では、「排気温度」と呼ぶ）が標準温度（例えば６０℃）である標準洗浄モードと、排気温度が抑制温度（例えば４０℃）であるソフト排気洗浄モードと、のうちのいずれかの運転モードに従って実行される。
【００３２】
排気運転は、食器洗浄運転が完了する場合に実行される。排気運転において、洗浄制御部８０は、食器洗浄機７０のファンを間欠的に駆動させ、食器洗浄機７０内の熱や蒸気を室内に排気する。
【００３３】
（生ごみ処理装置９０の構成）
生ごみ処理装置９０は、機器の内部に投入される生ごみを処理する生ごみ処理運転を実行可能な機器である。図２に示すように、生ごみ処理装置９０は、シンクＳの下の戸棚の内部に配置されている。図１に示すように、生ごみ処理装置９０は、処理操作部９２と、処理制御部１００と、を備える。
【００３４】
処理操作部９２は、電源スイッチと、運転開始スイッチと、運転モード選択スイッチと、で構成される。電源スイッチは、生ごみ処理装置９０の電源をＯＮとＯＦＦするためのスイッチである。運転開始スイッチは、生ごみ処理装置９０に生ごみ処理運転を開始させるためのスイッチである。運転モード選択スイッチは、生ごみ処理運転の運転モードを選択するためのスイッチである。
【００３５】
処理制御部１００は、ＣＰＵ、ＲＯＭ、ＲＡＭ等を備える。ＲＯＭには各種の運転プログラムが格納されている。ＲＡＭには、処理制御部１００に入力される各種信号や、ＣＰＵが処理を実行する過程で生成される種々のデータが一時的に記憶される。処理制御部１００は、ＣＰＵがＲＯＭ、ＲＡＭに記憶された情報に基づいて処理を実行することで、生ごみ処理装置９０の各部の動作を制御して、生ごみ処理装置９０に生ごみ処理運転を実行させる。
【００３６】
続いて、生ごみ処理装置９０によって実行される生ごみ処理運転について説明する。生ごみ処理運転は、乾燥運転と冷却運転とで構成される。乾燥運転において、処理制御部１００は、生ごみ処理装置９０のヒータ（図示省略）で加熱された空気をファン（図示省略）で送風して、生ごみ処理装置９０内の生ごみを乾燥させる。生ごみ処理運転中において、生ごみの臭気、高温の空気が室内に排気される。なお、乾燥運転は、乾燥運転中の排気温度が標準温度（例えば６０℃）である標準処理モードと、排気温度が抑制温度（例えば４０℃）であるソフト排気処理モードと、のうちのいずれかの運転モードに従って実行される。
【００３７】
冷却運転は、乾燥運転が完了する場合に実行される。冷却運転において、処理制御部１００は、生ごみ処理装置９０のファンを間欠的に駆動させ、生ごみ処理装置９０の内部を冷却する。
【００３８】
（風量管理サーバ２００の構成）
続いて、風量管理サーバ２００について説明する。風量管理サーバ２００は、加熱調理器３０、食器洗浄機７０、及び、生ごみ処理装置９０のそれぞれから受信する情報に基づいて、レンジフード１０が設置されている室内の状況に適した指示風量を決定し、当該指示風量をレンジフード１０に送信する。風量管理サーバ２００は、サーバ制御部２１０を備える。サーバ制御部２１０は、メモリ（図示省略）に格納されているプログラム（図示省略）に従って動作する。
【００３９】
（加熱調理器３０が実行する処理；図３）
続いて、図３を参照して、加熱調理器３０の加熱制御部６０によって実行される処理について説明する。加熱制御部６０は、加熱調理器３０の電源をＯＮにするための操作がユーザによって電源スイッチ４６に実行される場合に、図３の処理を開始する。
【００４０】
Ｓ１０において、加熱制御部６０は、ユーザによる点火操作又は消火操作がコンロ操作部４８ａ、コンロ操作部４８ｂ、コンロ操作部４８ｃ、又は、グリル操作部５０に実行されることを監視する。ユーザによる点火操作又は消火操作がコンロ操作部４８ａ、コンロ操作部４８ｂ、コンロ操作部４８ｃ、又は、グリル操作部５０に実行される場合に、加熱制御部６０はＳ１０でＹＥＳと判断し、処理はＳ１２に進む。
【００４１】
Ｓ１２において、加熱制御部６０は、各バーナ３８ａ、３８ｂ、３８ｃ、４０ａの動作状態を特定する。加熱制御部６０は、各バーナ３８ａ、３８ｂ、３８ｃ、４０ａが駆動中であるか否かを特定する。
【００４２】
Ｓ２０において、加熱制御部６０は、加熱制御部６０のメモリ（図示省略）に記憶されている第１の風量レベルテーブル１１０（図３参照）を利用して、第１の風量レベルを特定する。第１の風量レベルテーブル１１０について説明する。第１の風量レベルテーブル１１０において、「〇」及び「×」は、各バーナの駆動状態を示す。「〇」は、バーナが駆動中であることを示し、「×」は、バーナの駆動が停止していることを示す。第１の風量レベルテーブル１１０では、各バーナの駆動状態に、第１の風量レベル（「１」〜「３」）が対応付けられている。本実施例において、コンロバーナ３８ａ、３８ｂの最大加熱量は、コンロバーナ３８ｃの最大加熱量よりも大きい。従って、コンロバーナ３８ａ、３８ｂが駆動している場合、コンロバーナ３８ｃが駆動している場合よりも多くの熱と排ガスが発生し得る。このため、第１の風量レベルテーブル１１０では、２個のコンロバーナが駆動している状況において、コンロバーナ３８ａとコンロバーナ３８ｂとが駆動している場合の第１の風量レベル（即ち「２」）は、コンロバーナ３８ａ、３８ｂのうちの一方のコンロバーナとコンロバーナ３８ｃとが駆動している場合の第１の風量レベル（即ち「１」）よりも高い値が設定されている。また、グリルバーナ４０ａが駆動している場合、コンロバーナが駆動している場合と比較して、煙と臭気が発生しやすい。即ち、グリルバーナ４０ａが駆動している場合、熱と排ガスと煙と臭気とが発生し得る。このため、第１の風量レベルテーブル１１０では、グリルバーナ４０ａが駆動している場合の第１の風量レベルは、「２」以上の値が設定されている。
【００４３】
加熱制御部６０は、現在の各バーナの駆動状態と第１の風量レベルテーブル１１０とを利用して、第１の風量レベルを特定する。例えば、コンロバーナ３８ａ、コンロバーナ３８ｂ、コンロバーナ３８ｃ、グリルバーナ４０ａの動作状態が、それぞれ、「〇」、「〇」、「×」、「×」である場合、加熱制御部６０は、第１の風量レベルとして「２」を特定する。
【００４４】
Ｓ２２において、加熱制御部６０は、Ｓ２０で特定した第１の風量レベルを含む第１の要求信号を風量管理サーバ２００に送信する。Ｓ２２が終了すると、処理はＳ１０に戻る。
【００４５】
（食器洗浄機７０が実行する処理；図４）
続いて、図４を参照して、食器洗浄機７０の洗浄制御部８０によって実行される処理について説明する。洗浄制御部８０は、食器洗浄機７０の電源をＯＮにするための操作がユーザによって洗浄操作部７４の電源スイッチに実行される場合に、図４の処理を開始する。
【００４６】
Ｓ４０において、洗浄制御部８０は、ユーザによって開始操作が洗浄操作部７４に実行されることを開始する。開始操作は、食器洗浄運転の運転モードを選択するための操作と、食器洗浄運転を開始させるための操作と、を含む。
【００４７】
Ｓ４２において、洗浄制御部８０は、開始操作において、ユーザによって選択された運転モードが標準洗浄モードであるか否かを判断する。ユーザによって標準洗浄モードが選択された場合、洗浄制御部８０はＳ４２でＹＥＳと判断し、処理はＳ５０に進む。一方、ユーザによってソフト排気洗浄モードが選択されている場合、洗浄制御部８０はＳ４２でＮＯと判断し、処理はＳ６０に進む。
【００４８】
Ｓ５０において、洗浄制御部８０は、標準洗浄モードに従った食器洗浄運転（以下では、「標準洗浄運転」と呼ぶ）を開始する。そして、Ｓ５２において、洗浄制御部８０は、第２の風量レベル「３」を含む第２の要求信号を風量管理サーバ２００に送信する。
【００４９】
Ｓ５４において、洗浄制御部８０は、標準洗浄運転が終了することを監視する。標準洗浄運転が終了する場合に、洗浄制御部８０はＳ５４でＹＥＳと判断し、処理はＳ７０に進む。
【００５０】
また、Ｓ６０において、ソフト排気洗浄モードに従った食器洗浄運転（以下では、「ソフト洗浄運転」と呼ぶ）を開始する。上述のように、ソフト洗浄運転中の排気温度は、標準洗浄運転中の排気温度よりも低い。従って、ソフト洗浄運転中のレンジフード１０の風量は、標準洗浄運転中のレンジフード１０の風量よりも弱くてもよい。このため、Ｓ６２において、洗浄制御部８０は、第２の風量レベル「３」よりも低いレベルである第２の風量レベル「２」を含む第２の要求信号を風量管理サーバ２００に送信する。
【００５１】
Ｓ６４において、洗浄制御部８０は、ソフト洗浄運転が終了することを監視する。ソフト洗浄運転が終了する場合に、洗浄制御部８０はＳ６４でＹＥＳと判断し、処理はＳ７０に進む。
【００５２】
Ｓ７０において、洗浄制御部８０は、排気運転を開始する。排気運転中の排気温度は、ソフト洗浄運転中の排気温度よりも低い。従って、排気運転中のレンジフード１０の風量は、ソフト洗浄運転中のレンジフード１０の風量よりも弱くてもよい。このため、Ｓ７２において、洗浄制御部８０は、第２の風量レベル「２」よりも低いレベルである第２の風量レベル「１」を含む第２の要求信号を風量管理サーバ２００に送信する。
【００５３】
Ｓ７４において、洗浄制御部８０は、排気運転が終了することを監視する。排気運転が終了する場合に、洗浄制御部８０はＳ７４でＹＥＳと判断し、処理はＳ７６に進む。
【００５４】
Ｓ７６において、洗浄制御部８０は、第２の風量レベル「０」を含む第２の要求信号を風量管理サーバ２００に送信する。第２の風量レベル「０」は、レンジフード１０による換気を要求しないことを示す。Ｓ７６が終了すると、図４の処理が終了する。
【００５５】
（生ごみ処理装置９０が実行する処理；図５）
続いて、図５を参照して、生ごみ処理装置９０の処理制御部１００によって実行される処理について説明する。処理制御部１００は、生ごみ処理装置９０の電源をＯＮにするための操作がユーザによって生ごみ処理装置９０の電源スイッチに実行される場合に、図５の処理を開始する。
【００５６】
Ｓ９０において、処理制御部１００は、ユーザによって開始操作が処理操作部９２に実行されることを開始する。開始操作は、生ごみ処理運転の運転モードを選択するための操作と、生ごみ処理運転を開始させるための操作と、を含む。
【００５７】
Ｓ９２において、処理制御部１００は、開始操作において、ユーザによって選択された運転モードが標準処理モードであるか否かを判断する。ユーザによって標準処理モードが選択されている場合、処理制御部１００はＳ９２でＹＥＳと判断し、処理はＳ１００に進む。一方、ユーザによってソフト排気処理モードが選択されている場合、処理制御部１００はＳ９２でＮＯと判断し、処理はＳ１１０に進む。
【００５８】
Ｓ１００において、処理制御部１００は、標準処理モードに従った乾燥運転（以下では、「標準乾燥運転」と呼ぶ）を開始する。そして、Ｓ１０２において、処理制御部１００は、第３の風量レベル「３」を含む第３の要求信号を風量管理サーバ２００に送信する。
【００５９】
Ｓ１０４において、処理制御部１００は、標準乾燥運転が終了することを監視する。標準乾燥運転が終了する場合に、処理制御部１００はＳ１０４でＹＥＳと判断し、処理はＳ１２０に進む。
【００６０】
また、Ｓ１１０において、ソフト排気処理モードに従った乾燥運転（以下では、「乾燥運転」と呼ぶ）を開始する。上述のように、ソフト乾燥運転中の排気温度は、標準乾燥運転中の排気温度よりも低い。従って、ソフト乾燥運転中のレンジフード１０の風量は、標準乾燥運転中のレンジフード１０の風量よりも弱くてもよい。このため、Ｓ１１２において、処理制御部１００は、第３の風量レベル「３」よりも低いレベルである第３の風量レベル「２」を含む第３の要求信号を風量管理サーバ２００に送信する。
【００６１】
Ｓ１１４において、処理制御部１００は、ソフト乾燥運転が終了することを監視する。ソフト乾燥運転が終了する場合に、処理制御部１００はＳ１１４でＹＥＳと判断し、処理はＳ１２０に進む。
【００６２】
Ｓ１２０において、処理制御部１００は、冷却運転を開始する。冷却運転中の排気温度は、ソフト乾燥運転中の排気温度よりも低い。従って、冷却運転中のレンジフード１０の風量は、ソフト乾燥運転中のレンジフード１０の風量よりも弱くてもよい。このため、Ｓ１２２において、処理制御部１００は、第３の風量レベル「２」よりも低いレベルである第３の風量レベル「１」を含む第３の要求信号を風量管理サーバ２００に送信する。
【００６３】
Ｓ１２４において、処理制御部１００は、冷却運転が終了することを監視する。冷却運転が終了する場合に、処理制御部１００はＳ１２４でＹＥＳと判断し、処理はＳ１２６に進む。なお、冷却運転が終了する場合とは、生ごみ処理運転が終了する場合である。
【００６４】
Ｓ１２６において、処理制御部１００は、第３の風量レベル「０」を含む第３の要求信号を風量管理サーバ２００に送信する。第３の風量レベル「０」は、レンジフード１０による換気を要求しないことを示す。Ｓ１２６が終了すると、図５の処理が終了する。
【００６５】
（風量管理サーバが実行する処理；図６）
続いて、図６を参照して、風量管理サーバ２００のサーバ制御部２１０によって実行される処理について説明する。
【００６６】
Ｓ１４０において、サーバ制御部２１０は、加熱調理器３０から第１の要求信号を受信することを監視する。加熱調理器３０から第１の要求信号を受信する場合に、サーバ制御部２１０はＳ１４０でＹＥＳと判断し、処理はＳ１５０に進む。
【００６７】
また、サーバ制御部２１０は、Ｓ１４０の監視と同時的に、Ｓ１４２において、食器洗浄機７０から第２の要求信号を受信することを監視する。食器洗浄機７０から第２の要求信号を受信する場合に、サーバ制御部２１０はＳ１４２でＹＥＳと判断し、処理はＳ１５０に進む。
【００６８】
また、サーバ制御部２１０は、Ｓ１４０及びＳ１４２の監視と同時的に、Ｓ１４４において、生ごみ処理装置９０から第３の要求信号を受信することを監視する。生ごみ処理装置９０から第３の要求信号を受信する場合に、サーバ制御部２１０はＳ１４４でＹＥＳと判断し、処理はＳ１５０に進む。
【００６９】
Ｓ１５０において、サーバ制御部２１０は、レンジフード１０に指示する指示風量を特定する。まず、サーバ制御部２１０は、第１〜第３の要求信号の中の最大の風量レベルを特定の指示風量レベルと特定する。例えば、第１の要求信号内の第１の風量レベルが「１」であり、第２の要求信号内の第２の風量レベルが「１」であり、第３の要求信号内の第３の風量レベルが「３」である場合、サーバ制御部２１０は、特定の指示風量レベルを「３」と特定する。そして、サーバ制御部２１０は、特定の指示風量レベルに応じた指示風量を決定する。特定の指示風量レベル「１」に対応する指示風量は「弱」であり、特定の指示風量レベル「２」に対応する指示風量は「中」であり、特定の指示風量レベル「３」に対応する指示風量は「強」である。なお、指示風量レベルが「０」の場合は、指示風量は、「０」である。
【００７０】
Ｓ１５２において、サーバ制御部２１０は、Ｓ１５０で特定した指示風量を含む指示信号をレンジフード１０に送信する。Ｓ１５２が終了すると、処理はＳ１４０に戻る。従って、サーバ制御部２１０が第１〜第３の要求信号のうちのいずれかの信号を受信する場合に、Ｓ１５０及びＳ１５２の処理が実行される。
【００７１】
（レンジフード１０が実行する処理；図７）
続いて、図７を参照して、レンジフード１０の換気制御部２０によって実行される処理について説明する。換気制御部２０は、ユーザによってレンジフード１０の電源をＯＮにするための操作が換気操作部１４に実行される場合に、図７の処理を開始する。
【００７２】
Ｓ１７０において、換気制御部２０は、自動換気運転が設定されているか否かを判断する。自動換気運転が設定されている場合、換気制御部２０はＳ１７０でＹＥＳと判断し、処理はＳ１８０に進む。一方、手動換気運転が設定されている場合、換気制御部２０はＳ１７０でＮＯと判断し、処理はＳ１９０に進む。
【００７３】
Ｓ１８０において、換気制御部２０は、風量管理サーバ２００から指示信号を受信したか否かを判断する。風量管理サーバ２００から指示信号を受信する場合に、換気制御部２０はＳ１８０でＹＥＳと判断し、処理はＳ１８２に進む。一方、風量管理サーバ２００から指示信号を受信しない場合に、換気制御部２０はＳ１８０でＮＯと判断し、処理はＳ１７０に戻る。
【００７４】
Ｓ１８２において、換気制御部２０は、Ｓ１８０で受信した指示信号に基づいて、レンジフード１０の運転風量を決定する。例えば、指示信号が指示風量「中」を含む場合、換気制御部２０は、風量が「中」となるようにモータの動作を制御する。また、例えば、指示信号が指示風量「０」を含む場合、換気制御部２０は、モータの駆動を停止させる。Ｓ１８２が終了すると、処理はＳ１７０に戻る。なお、換気制御部２０は、ユーザによって自動換気運転が設定されてからの時間が所定時間を経過する場合に、自動換気運転から手動換気運転に切り替わるように構成されてもよい。
【００７５】
また、Ｓ１９０において、換気制御部２０は、ユーザによって風量操作が実行されたか否かを判断する。風量操作は、ユーザによる換気操作部１４の風量調整スイッチに対する操作である。ユーザによって風量操作が実行される場合、換気制御部２０はＳ１９０でＹＥＳと判断し、処理はＳ１９２に進む。一方、ユーザによって風量操作が実行されない場合、換気制御部２０はＳ１９０でＮＯと判断し、処理はＳ１７０に戻る。
【００７６】
Ｓ１９２において、換気制御部２０は、ユーザによって指定された風量となるように、レンジフード１０のモータの動作を制御する。Ｓ１９２が終了すると、処理はＳ１７０に戻る。なお、換気制御部２０は、ユーザによって手動換気運転が設定されてからの時間が所定時間を経過する場合に、手動換気運転から自動換気運転に切り替わるように構成されてもよい。
【００７７】
上述のように、風量管理サーバ２００は、加熱調理器３０から第１の風量レベルを含む第１の要求信号を受信し（図６のＳ１４０でＹＥＳ）、食器洗浄機７０から第２の風量レベルを含む第２の要求信号を受信する（図６のＳ１４２でＹＥＳ）。そして、風量管理サーバ２００は、第１の風量レベルと第２の風量レベルを利用して、指示風量を特定し（図６のＳ１５０）、指示風量を含む指示信号をレンジフード１０に送信する（図６のＳ１５２）。レンジフード１０は、風量管理サーバ２００から、指示風量を含む指示信号を受信すると（図７のＳ１８０でＹＥＳ）、指示風量に基づいて、モータの動作を決定する（図６のＳ１８２）。このため、レンジフード１０が設置されている室内に、室内の空気質を変化させる機器が２個以上存在しても、換気運転中のレンジフード１０の運転風量が適切に決定される。この結果、室内環境が快適な状態が維持される。
【００７８】
また、風量管理サーバ２００は、第１の風量レベルが第２の風量レベルよりも大きい場合、第１の風量レベルに基づいて指示風量を特定し、第１の風量レベルが第２の風量レベル以下である場合、第２の風量レベルに基づいて指示風量を特定する。即ち、指示風量は、風量レベルが大きい方の風量レベルに基づいて特定される。このため、風量管理サーバ２００は、現在の室内環境に適した指示風量を特定することができる。この結果、レンジフード１０は、換気運転を適切に実行することができる。
【００７９】
また、風量管理サーバ２００の管理者は、サーバ制御部２１０のメモリに格納されているプログラム（以下では、「管理プログラム」と呼ぶ）を容易に更新することができる。従って、例えば、加熱調理器３０が買い替えられた後に、管理者によって管理プログラムが買い替え後の加熱調理器３０に対応する管理プログラムに更新されることで、風量管理サーバ２００は、指示風量を適切に特定することができる。また、例えば、レンジフード１０が設置されている室内に、新たな機器（例えば、オーブン、炊飯器、ファンヒータ等）が設置される場合、又は、生ごみ処理装置９０などが廃棄される場合においても、管理者によって管理プログラムが更新されることで、風量管理サーバ２００は、指示風量を適切に特定することができる。
【００８０】
（対応関係）
レンジフード１０、加熱調理器３０、食器洗浄機７０が、それぞれ、「換気装置」、「第１の設備装置」、「第２の設備装置」の一例である。第１の風量レベル、第２の風量レベル、指示風量が、それぞれ、「第１の風量情報」、「第２の風量情報」、「特定の風量情報」の一例である。
【００８１】
（第２実施例）
第２実施例は、図６のＳ１５０において、サーバ制御部２１０によって実行される処理が第１実施例と異なる。
【００８２】
図６のＳ１５０において、サーバ制御部２１０によって実行される処理について説明する。サーバ制御部２１０は、第１〜第３風量レベルの合計である合計風量レベルと、第２の風量レベルテーブル１２０（図８参照）と、を利用して第１の指示風量レベルを特定する。図８に示すように、第２の風量レベルテーブル１２０では、合計風量レベルと第１の指示風量レベルとが対応付けられている。合計風量レベル「０」、「１」、「２〜６」、「７〜９」には、それぞれ、第１の指示風量レベル「０」、「１」、「２」、「３」が対応付けられている。サーバ制御部２１０は、合計風量レベルに基づいて、第１の指示風量レベルを特定する。そして、サーバ制御部２１０は、第１〜第３の風量レベルと、第１の指示風量レベルの中の最大の風量レベルを特定の指示風量レベルと特定する。例えば、第１の風量レベルが「１」であり、第２の風量レベルが「１」であり、第３の風量レベルが「１」であり、第１の指示風量レベルが「２」である場合、サーバ制御部２１０は、特定の指示風量レベルを「２」と特定する。サーバ制御部２１０は、特定の指示風量レベルに応じた指示風量を特定する。特定の風量レベルに対応する指示風量は、第１実施例と同様である。即ち、特定の指示風量レベル「１」、「２」、「３」に対応する指示風量は、それぞれ、「弱」、「中」、「強」である。
【００８３】
（対応関係）
第１の指示風量レベルが、「第３の風量情報」の一例である。
【００８４】
（第３実施例）
第３実施例は、図６のＳ１５０において、サーバ制御部２１０によって実行される処理が第１実施例及び第２実施例とは異なる。
【００８５】
図６のＳ１５０において、サーバ制御部２１０によって実行される処理について説明する。サーバ制御部２１０は、第１〜第３の風量レベルを利用して算出される要求風量レベルと、第３の風量レベルテーブル１３０（図９参照）と、を利用して、特定の指示風量レベルを特定する。要求風量レベルの算出方法について説明する。まず、サーバ制御部２１０は、第１の風量レベルに第１の係数（例えば「４」）を乗算して第１の要求風量レベルを算出し、第２の風量レベルに第２の係数（例えば「１」）を乗算して第２の要求風量レベルを算出し、第３の風量レベルに第３の係数（例えば「２」）を乗算して第３の要求風量レベルを算出する。なお、第１の係数〜第３の係数は、サーバ制御部２１０のメモリに予め記憶されている係数である。そして、サーバ制御部２１０は、第１〜第３要求風量レベルの合計を、要求風量レベルと特定する。例えば、第１の要求風量レベルが「８」であり、第２の要求風量レベルが「１」であり、第３の風量レベルが「２」である場合、要求風量レベルは「１１」となる。
【００８６】
続いて、第３の風量レベルテーブル１３０について説明する。図９に示すように、第３の風量レベルテーブル１３０では、要求風量レベルと特定の指示風量レベルとが対応付けられている。要求風量レベル「０」、「１〜６」、「７〜１１」、「１２〜２１」には、それぞれ、特定の指示風量レベル「０」、「１」、「２」、「３」が対応付けられている。従って、サーバ制御部２１０は、例えば、要求風量レベルが「１１」である場合、特定の指示風量レベルを「２」と特定する。特定の風量レベルに対応する指示風量は、第１実施例と同様である。即ち、特定の指示風量レベル「１」、「２」、「３」に対応する指示風量は、それぞれ、「弱」、「中」、「強」である。
【００８７】
本実施例では、ユーザに不快感を与える可能性の高い煙、臭気、排ガスを排出する可能性のある加熱調理器３０から送信される第１の風量レベルに乗算する第１の係数に一番大きな値が設定されている。また、ユーザに不快感を与える可能性の高い臭気を発生する可能性の高い生ごみ処理装置９０から送信される第３の風量レベルに乗算する第３の係数に２番目に大きな値が設定されている。このように、機器の特性に合わせて、第１の係数〜第３の係数を設定することで、室内の環境をより快適に維持することができる。なお、第１の係数〜第３の係数は、本実施例の値に限定されない。例えば、生ごみ処理装置９０から排出される臭気を不快に感じないユーザの場合、第２の係数が第３の係数よりも大きな値に設定されてもよい。
【００８８】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００８９】
（第１変形例）「第１の設備装置」が、食器洗浄機７０、生ごみ処理装置９０であってもよいし、「第２の設備装置」が、加熱調理器３０、生ごみ処理装置９０であってもよい。また、「第１の設備装置」、「第２の設備装置」は、オーブン、炊飯器、ファンヒータなどの機器であってもよい。
【００９０】
（第２変形例）「風量管理装置」は、風量管理サーバ２００ではなく、設備システム４が設置されている家屋と同一の家屋に設置されるＨＥＭＳ（Home Energy Management Systemの略）コントローラ等の装置であってもよい。
【００９１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９２】
２      ：換気システム
４      ：設備システム
６      ：無線ＬＡＮルータ
８      ：インターネット
１０    ：レンジフード
１２    ：ファン
１４    ：換気操作部
２０    ：換気制御部
３０    ：加熱調理器
３２    ：本体
３４    ：天板
３６    ：五徳
３８    ：コンロバーナ
４０    ：グリル庫
４０ａ  ：グリルバーナ
４２    ：グリル扉
４６    ：電源スイッチ
４８    ：コンロ操作部
５０    ：グリル操作部
６０    ：加熱制御部
７０    ：食器洗浄機
７２    ：パネル
７２ａ  ：下端部
７４    ：洗浄操作部
８０    ：洗浄制御部
９０    ：生ごみ処理装置
９２    ：処理操作部
１００  ：処理制御部
１１０  ：第１の風量レベルテーブル
１２０  ：第２の風量レベルテーブル
１３０  ：第３の風量レベルテーブル
２００  ：風量管理サーバ
２１０  ：サーバ制御部
Ｍ      ：キッチンカウンタ
Ｓ      ：シンク
【図１】
2019066120.tif 000003
【図２】
2019066120.tif 000004
【図３】
2019066120.tif 000005
【図４】
2019066120.tif 000006
【図５】
2019066120.tif 000007
【図６】
2019066120.tif 000008
【図７】
2019066120.tif 000009
【図８】
2019066120.tif 000010
【図９】
2019066120.tif 000011